(57)【特許請求の範囲】
【請求項１】
洗濯物を干すための洗濯ハンガーにおいて、この洗濯ハンガーは、細長い形状の複数のハンガーアームと、これらのハンガーアームの根本端部近傍に設けられたアーム要孔に貫通する略垂直の軸を有する要部と、この要部に接続された吊り下げ部とから構成され、このハンガーアームは、ハンガーアームの中央部の本体部は略平板状で長手方向に延在させ、この本体部の脇にアームウイングを一方は下方に傾斜させ、他方のアームウイングは上方に傾斜させて、これらのハンガーアームが放射状に拡がって円周上に展開可能であることを特徴とする洗濯ハンガー。
【請求項２】
請求項１の洗濯ハンガーにおいて、そのアームウイングは折り畳んだ状態で、上方に傾斜したアームウイング同士と下向きに傾斜したアームウイング同士が近接して重なり合うことを特徴とする洗濯ハンガー。
【請求項３】
請求項１又は請求項２の洗濯ハンガーにおいて、それらのハンガーアームの開き角度を規制する規制部を設けたことを特徴とする洗濯ハンガー。
【請求項４】
請求項１乃至請求項３のいずれかの洗濯ハンガーにおいて、これらのハンガーアームの先端に洗濯物の係止部を設けたことを特徴とする先端ハンガー。
【請求項５】
請求項１乃至請求項４のいずれかの洗濯ハンガーにおいて、これらのハンガーアームは根本から先端に向かって細くしたことを特徴とする先端ハンガー。
【発明の詳細な説明】
【技術分野】
【０００１】
この発明は洗濯物を干すために使用する洗濯ハンガー、特に旅行・携帯・収納に便利でコンパクトなハンガーアーム付きの洗濯ハンガーに関する。
【背景技術】
【０００２】
近年、中・長期の旅行をする機会が増えてきたが、着替えの衣類をたくさん携行すると、荷物が嵩張り重くなるので、ホテルで自分で洗うことが多くなってきた。しかし、ホテルには洗濯物を乾かす設備・場所がなく、洗濯物が干し難いという問題があった。そこで、家庭用のハンガーを持ち込む旅行者が多くなってきた。一方、近年航空会社の規則が厳しくなり、容積や重量が制限されるようになってきた。この為、軽量でコンパクトな洗濯ハンガーが求められるようになった。
【先行技術文献】
【特許文献】
【０００３】
【特許文献１】特開２０１２−１６５８２５
【発明の概要】
【発明が解決しようとする課題】
【０００４】
旅行には、ハンカチ、下着、靴下等を乾かすのに便利なハンガーアーム付きの洗濯ハンガーが多く用いられている。例えば、特許文献１の技術は、吊り下げ部１の下端近傍に設けられた基台３の円周上に複数のハンガーアーム４が設けられたものである。しかしながら、この技術では、ハンガーアーム４同士が間隔を開けて配置され、尚且つ、ハンガーアーム４が円筒状に配置され、内側に空洞を有していた。この為、無駄なスペースが多く嵩張ってしまう問題があった。
【課題を解決するための手段】
【０００５】
洗濯物を干すための洗濯ハンガーにおいて、この洗濯ハンガーは、細長い形状の本体を有する複数のハンガーアームと、これらのハンガーアームの根本端部近傍に設けられたアーム要孔に貫通する略垂直の軸を有する要部と、この要部に接続された吊り下げ部とから構成され、これらのハンガーアームが放射状に拡がって円周上に展開可能であることを特徴とする洗濯ハンガーである。
【発明の効果】
【０００６】
上記の問題点を解決し、コンパクトで軽量な洗濯ハンガーを提供する。
【図面の簡単な説明】
【０００７】
【図１】第一の実施例の洗濯ハンガーの展開した状態を示す斜視図である。R１からR8までハンガーアームが展開しているが、図を簡略化するためにR３からR８までハンガーアームの記載が省略されている。
【図２】第一の実施例の洗濯ハンガーの折り畳んだ状態を示す斜視図である。
【図３】第一の実施例の洗濯ハンガーのハンガーアームを示す斜視図である。
【図４】図２のCC断面図である。
【図５】図３の一部拡大図である。
【図６】図５のDD断面図である。
【発明を実施するための形態】
【０００８】
洗濯物を干すための洗濯ハンガーにおいて、この洗濯ハンガーは、細長い形状の本体を有する複数のハンガーアームと、これらのハンガーアームの根本端部近傍に設けられたアーム要孔に貫通する略垂直の軸を有する要部と、この要部に接続された吊り下げ部とから構成され、これらのハンガーアームが放射状に拡がって円周上に展開可能であることを特徴とする洗濯ハンガーである。
【０００９】
上記の洗濯ハンガーにおいて、そのハンガーアームの中央部の本体部は略平板状で長手方向に延在させ、この本体部の脇にアームウィングを角度を持たせて設けたことを特徴とする洗濯ハンガーである。
上記の洗濯ハンガーにおいて、それらのハンガーアームの開き角度を規制する規制部を設けたことを特徴とする洗濯ハンガーである。
上記の洗濯ハンガーにおいて、これらのハンガーアームの先端に洗濯物の係止部を設けたことを特徴とする先端ハンガーである。
上記の洗濯ハンガーにおいて、これらのハンガーアームは根本から先端に向かって細くしたことを特徴とする先端ハンガーである。
【実施例】
【００１０】
図１、図２、図３、図４は、第一の実施例の洗濯ハンガー１０であり、この洗濯ハンガー１０は、平板状のアーム本体２１を有する複数のハンガーアーム２０と、これらのハンガーアーム２０の根本端部近傍に設けられたアーム要孔２３に貫通する垂直の軸４１を有する要部４０と、この要部４０にヒンジ３１により連結された吊り下げ部３０とから構成されている。
【００１１】
ハンガーアーム２０は、中央部に平板状のアーム本体２１と、その両側に傾斜を持たせて延在するアームウイング２２を有している。この為、ハンガーアーム２０の上下方向の曲げに対する断面係数を大きくすることができ、軽量なハンガーアーム２０で大きな荷重を支えることができる。ハンガーアーム２０は、根本端部近傍にアーム要孔２３を設けて、先端部には洗濯物を係止する係止部２４が設けられている。なお、アームウィング２２は片側だけでも構わない。
【００１２】
吊り下げ部３０は、先端部にはフック３２、根本部にはヒンジ３１が設けられ、倒した状態と直立した状態間で回動可能としている。即ち、吊り下げ部３０は、使用時の直立した状態と収納時の倒した状態で節度感を持って維持できるようにしている。
【００１３】
図４により、要部４０の近傍の構造を説明する。重ね合わせた複数のアーム本体２１の端部近傍に開けられたアーム要孔２３に軸4１が上下に貫通し、第一の要留め具４２と第二の要留め具４３により一定の微小隙間を持たせて締結されている。この為、複数のハンガーアーム２０は軸４１周りに回動可能である。要部４０の上部にはヒンジ３１が接続されている。
【００１４】
この図で解るように、ハンガーアーム２０は無駄なスペースがなく畳むことができるので収納時の形状をコンパクトにすることができる。なお、ハンガーアーム２０は全て同一形状であるので、金型費を安くし、製造管理を容易とすることができる。
【００１５】
図５、図６により、開き規制部５０を説明する。開き規制部５０は、規制凹部５１と規制凸部５２とからなり、規制凸部５２は規制凹部５１に嵌合している。Aはハンガーアーム２０が重なった状態であり、Bはハンガーアームが展開した状態である。規制凹部５２は、軸４１を中心とする円弧状の長穴を有しているので、ハンガーアーム２０は所定の角度だけ回転して、それ以上は回転しない。従って、ハンガーアーム２０を開いていくと等間隔で円周状に展開することができる。
【産業上の利用可能性】
【００１６】
この発明の洗濯ハンガーは、主として旅行用の携行に便利であるが、家庭用にも利用が可能である。
【符号の説明】
【００１７】
１０は洗濯ハンガー
２０はハンガーアーム
２１はアーム本体
２２はアームウィング
２３はアーム要孔
２４は係止部
３０は吊り下げ部
３１はヒンジ
３２はフック
４０は要部
４１は軸
４２は第一の要留め具
４３は第二の要留め具
５０は開き規制部
５１は規制凹部
５２は規制凸部
【図１】
0006277338.tif 000002
【図２】
0006277338.tif 000003
【図３】
0006277338.tif 000004
【図４】
0006277338.tif 000005
【図５】
0006277338.tif 000006
【図６】
0006277338.tif 000007